(57)【要約】【課題】花瓶の内壁が滑りやすいなどの理由から、花を花瓶に対して角度を付けて斜めに安定的に挿すことは専門家以外の者にとって困難であるが、誰でも簡単に花を丸く立体的に花瓶に活けることを可能とする。【解決手段】花瓶の開口部及び底部以外の内周面に１つ又は複数の略環状又は略螺旋状の凸構造又は凹構造を形成する。これによって、花を活けた際に花の茎の下端を前記凸構造又は凹構造の上に乗せたり、若しくは前記凸構造又は凹構造の下に引っ掛けたりすることによって、花を花瓶に対して角度を付けて斜めに挿すことが出来るようにし、花を丸く立体的に花瓶に活けることを可能とする。又は、花瓶の開口部及び底部以外の内周面に、取り付け可能な略環状又は略螺旋状の形状とした花瓶用部材を設置する。【選択図】図１
2009142344.tif 000002
【特許請求の範囲】
【請求項１】
花瓶の開口部及び底部以外の内周面に１つ又は複数の凸構造が形成されていることを特徴とする花瓶。
【請求項２】
前記凸構造は前記花瓶の内周面の周方向に沿って略環状又は略螺旋状に形成されていることを特徴とする請求項１記載の花瓶。
【請求項３】
前記略環状又は略螺旋状の凸構造が複数形成された花瓶であって、隣接する前記凸構造の先端部の中心間の距離は５ｍｍ以上であることを特徴とする請求項２に記載の花瓶。
【請求項４】
前記凸構造は前記花瓶の内周面から内方向に向けて３ｍｍ以上突出していることを特徴とする請求項１乃至請求項３のいずれか１項に記載の花瓶。
【請求項５】
花瓶の開口部及び底部以外の内周面に１つ又は複数の凹構造が形成されていることを特徴とする花瓶。
【請求項６】
前記凹構造は前記花瓶の内周面の周方向に沿って略環状又は略螺旋状に形成されていることを特徴とする請求項５記載の花瓶。
【請求項７】
前記略環状又は略螺旋状の凹構造が複数条形成された花瓶であって、隣接する前記凹構造の最奥部の中心間の距離は５ｍｍ以上であることを特徴とする請求項６記載の花瓶。
【請求項８】
内周面に凹構造が形成されている花瓶において、前記花瓶の内周面と前記凹構造の上面とがなす角度が９０°未満であることを特徴とする請求項５乃至請求項７のいずれか１項に記載の花瓶。
【請求項９】
前記凸構造又は前記凹構造の各々の周方向の寸法は、３ｍｍ以上であって、かつ前記花瓶の内周の４分の３以下の寸法を有することを特徴とする請求項１乃至請求項８のいずれか１項に記載の花瓶。
【請求項１０】
花瓶の開口部及び底部以外の内周面に取り付け可能な略環状又は略螺旋状の形状としたことを特徴とする花瓶用部材。
【請求項１１】
花瓶の開口部及び底部以外の内周面に取り付け可能な花瓶用部材であって、前記花瓶用部材は互いに止め具で係止されている複数の部品で構成されており、かつ、その係止位置を調節することによって前記花瓶用部材の外周の形状を取り付け位置の前記花瓶の内周面の形状に合わせることが出来るようにしたことを特徴とする花瓶用部材。
【請求項１２】
前記花瓶用部材の部品の形状は、略Ｌ字の形状、略円弧の形状、長方形の形状、又は楕円形の形状のいずれかであることを特徴とする請求項１１記載の花瓶用部材。
【発明の詳細な説明】
【技術分野】
【０００１】
本発明は、花瓶において切り花を支える構造を有する花瓶及び花瓶用部材に関するものである。
【背景技術】
【０００２】
一般の家庭では、花はたいてい花瓶に活けて飾るが、飾り方一つでその見え方は千差万別である。花を、そのまま花瓶に挿しても活けたことにはなるが、それだけでは何とも素っ気無く、花本来の美しさを引き出すどころか、逆に花の魅力も半減してしまうことも多い。
花束の時は華やかに見えていたのに、それを花瓶に挿したら何か物足りないといった状況はごく一般的に発生している。その点、花店やフラワーデザイナー、華道に携わる人々は、その専門的技術によって、四方から見られる四方見などのように、どの方角から見ても綺麗に見える活け方が可能である。
その一方で、専門的技術を持たない一般の消費者は、なるべく底が狭く口が広い逆三角型の花瓶を使うことなどによって花を広がるように挿し、何とか近いものを実現しているにすぎない。
【０００３】
このような専門家と一般消費者の決定的な差は、花を花瓶に対して角度を付けて斜めに挿すことが出来るかどうかにかかっている。専門家は過去の経験や技術により、花瓶の壁面や口に上手く花を引っ掛けてバランスを取りながら活けていくことが可能である。しかしながら、一般消費者にとっては、花を斜めに活けることが非常に困難である。一般消費者が複数の花を斜めに挿した場合、瞬間的にはそのスタイルを実現出来たとしても、すぐに崩れてしまう結果となり、そのスタイルを安定的に維持させることは困難である。
その困難な理由としては、まず花瓶の内壁には凹凸が無く、また材質はガラス、陶器、磁器などが主流であることから滑りやすく、さらに水を入れることで浮力も発生するために、花瓶の内壁はさらに滑りやすい状態にあることが挙げられる。このような内壁を持つ花瓶を使って花を角度を付けて斜めに活けるためには、バランスを取りながら花を１本１本格子状に挿していくという専門的技術を有していなければ不可能である。
【０００４】
その上、花には頭が重く茎は軽いという構造上の問題があるため、角度を斜めに付けすぎると花瓶の外側に重心がかかるために、花の茎は内壁を上方向に滑り、花は頭から花瓶の外側に倒れてしまう結果となる。
逆に、垂直に近く挿すと、今度は花の茎は内壁を下方向に滑り、花瓶の底に着いてしまう結果となる。花の茎が花瓶の底に着いてしまうと、花の広がりは花瓶の開口部と底部の対角線の角度に限定されてしまうため、丸い形に活けることは出来ない。
【０００５】
従来、花を安定的に活けることが出来るようにするものとして、花瓶の口部と胴部の境界部の内側の周囲に第一花留め部と第二花留め部を備えたもの（特許文献１を参照）や、大小の円錐形の孔を開けた花の茎を固定出来る花立て（特許文献２を参照）などが提供されている。
しかし、いずれも手軽に花を丸く立体的に花瓶に活けることを可能とするものではない。
【特許文献１】特開２００４−２４２９６２号公報
【特許文献２】実用新案登録第３０４４４６３号公報
【発明の開示】
【発明が解決しようとする課題】
【０００６】
上記のように、花瓶の内壁は滑りやすく花はバランスが取りづらいなどの理由により、花を丸く立体的に活けることは一般消費者にとって非常に困難であるという課題がある。この課題の解決策については、今までは花を活ける者の技術面に依存する部分が大きかったというのが現状であった。
そして、技術面に依存しない課題解決の手段としては、吸水性スポンジや剣山といった花を固定する道具も用いられて来た。しかし、これらは花瓶というよりも、かなり背の低い花器や水盤に対して利用される道具であり、花瓶の場合の解決策にはならなかった。
従って、解決しようとする問題点は、手軽に花を花瓶に対して角度を付けて斜めに安定的に挿して、綺麗に花瓶に花を活けるための手段が、花の専門家ではない一般消費者にとってはなかったという点である。
【課題を解決するための手段】
【０００７】
上記の課題を解決するために請求項１記載の発明は、花瓶であって、花瓶の開口部及び底部以外の内周面に１つ又は複数の凸構造が形成されていることを特徴とする。
【０００８】
請求項２記載の発明は、請求項１記載の花瓶であって、前記凸構造は前記花瓶の内周面の周方向に沿って略環状又は略螺旋状に形成されていることを特徴とする。
【０００９】
請求項３記載の発明は、請求項２記載の花瓶であって、前記略環状又は略螺旋状の凸構造が複数形成された花瓶であって、隣接する前記凸構造の先端部の中心間の距離は５ｍｍ以上であることを特徴とする。
【００１０】
請求項４記載の発明は、請求項１乃至請求項３のいずれか１項に記載の花瓶であって、前記凸構造は前記花瓶の内周面から内方向に向けて３ｍｍ以上突出していることを特徴とする。
【００１１】
請求項５記載の発明は、花瓶であって、花瓶の開口部及び底部以外の内周面に１つ又は複数の凹構造が形成されていることを特徴とする。
【００１２】
請求項６記載の発明は、請求項５記載の花瓶であって、前記凹構造は前記花瓶の内周面の周方向に沿って略環状又は略螺旋状に形成されていることを特徴とする。
【００１３】
請求項７記載の発明は、請求項６記載の花瓶であって、前記略環状又は略螺旋状の凹構造が複数条形成された花瓶であって、隣接する前記凹構造の最奥部の中心間の距離は５ｍｍ以上であることを特徴とする。
【００１４】
請求項８記載の発明は、請求項５乃至請求項７のいずれか１項に記載の花瓶であって、内周面に凹構造が形成されている花瓶において、前記花瓶の内周面と前記凹構造の上面とがなす角度が９０°未満であることを特徴とする。
【００１５】
請求項９記載の発明は、請求項１乃至請求項８のいずれか１項に記載の花瓶であって、前記凸構造又は前記凹構造の各々の周方向の寸法は、３ｍｍ以上であって、かつ前記花瓶の内周の４分の３以下の寸法を有することを特徴とする。
【００１６】
請求項１０記載の発明は、花瓶用部材であって、花瓶の開口部及び底部以外の内周面に取り付け可能な略環状又は略螺旋状の形状としたことを特徴とする。
【００１７】
請求項１１記載の発明は、花瓶の開口部及び底部以外の内周面に取り付け可能な花瓶用部材であって、前記花瓶用部材は互いに止め具で係止されている複数の部品で構成されており、かつ、その係止位置を調節することによって前記花瓶用部材の外周の形状を取り付け位置の前記花瓶の内周面の形状に合わせることが出来るようにしたことを特徴とする。
【００１８】
請求項１２記載の発明は、請求項１１記載の花瓶用部材であって、前記花瓶用部材の部品の形状は、略Ｌ字の形状、略円弧の形状、長方形の形状、又は楕円形の形状のいずれかであることを特徴とする。
【発明の効果】
【００１９】
本発明に係る花瓶及び花瓶用部材によれば、花瓶の内周面に凸構造又は凹構造を形成したことなどによって、花の専門家でなくても簡単に花を花瓶に対して角度を付けて斜めに挿すことが出来るようになるという利点がある。これによって、誰でも花を丸く立体的に花瓶に活けることが出来るようになることから、花束を貰ったときの感動を自宅で再現し、花と共に豊かな暮らしを楽しむことが可能となる。
そして、花を花瓶に対して斜めに挿すことを出来るようにするために、複雑な機構や構造などを用いることなく実現しているという利点もある。
また、最初から花瓶の構造として形成されているばかりでなく、既にある花瓶に対して後から花瓶用部材として取り付けることによっても可能であるという利点もある。
さらに、花瓶用部材を互いに止め具で係止されている複数の部品で構成し、その係止位置を調節することによって花瓶用部材の外周の形状を取り付け位置の花瓶の内周面の形状に合わせることが出来るようにしたことから、どのような形状の花瓶の場合であっても取り付け可能であるという利点もある。
【発明を実施するための最良の形態】
【００２０】
誰でも手軽に花の専門家のように花を花瓶に活けることが出来、花束を貰ったときの感動を自宅でも再現して花と共に豊かな暮らしを楽しむことを可能とするという目的を、以下のように、本発明による花瓶及び花瓶用部材によって実現した。以下に本願の実施の形態について、図面を参照しながら説明する。
【実施例１】
【００２１】
図１は、花瓶１の内周面に環状の凸構造２を形成した場合の説明図である。
花瓶１の開口部及び底部以外の内周面に環状の凸構造２を形成することにより、花を活けた際に花の茎の下端を当該凸構造の上に乗せたり、若しくは当該凸構造の下に引っ掛けたりすることによって、花を丸く活けることを可能とする。
なお、環状の凸構造２は、内周を連続して一周している場合だけでなく、途中で断続している場合であっても良い。
【００２２】
図２は、花瓶１の内周面に螺旋状の凸構造３を形成した場合の説明図である。
花瓶１の開口部及び底部以外の内周面に螺旋状の凸構造３を形成することにより、花を活けた際に花の茎の下端を当該凸構造の上に乗せたり、若しくは当該凸構造の下に引っ掛けたりすることによって、花を丸く活けることを可能とする。
なお、螺旋状の凸構造３は、花瓶１の内周を連続して周方向に下降している場合だけでなく、途中で断続している場合であっても良い。
【００２３】
図１において環状の凸構造２は２つ示され、図２において螺旋状の凸構造３は２つ示されているが、いずれの場合も１つ若しくは３つ以上であっても良い。
そして、環状の凸構造２又は螺旋状の凸構造３が２つ以上形成されている場合は、いずれの場合も隣接する凸構造の先端部の中心間の距離は５ｍｍ以上であることが望ましい。５ｍｍ未満の距離では、花の茎の大きさを考慮すると当該凸構造を利用して花の茎を乗せたり引っ掛けたりすることが難しくなり、また、仮に花の茎を乗せたり引っ掛けたりすることが出来たとしても花瓶１に対する角度に変化がないからである。
また、環状の凸構造２及び螺旋状の凸構造３のいずれの場合も、当該凸構造は前記花瓶１の内周面から内方向に向けて３ｍｍ以上突出していることが望ましい。これは、花の茎の大きさを考慮すると、３ｍｍ未満の突出では当該凸構造を利用して花の茎を乗せたり引っ掛けたりすることが難しくなるからである。
さらに、環状の凸構造２及び螺旋状の凸構造３のいずれの外周の形状も、円形に限定されるものではなく、花瓶１の内周面の形状に合ったものであれば、楕円形・方形・長方形のいずれであっても、又はそれ以外の形状であっても良い。同様に、環状の凸構造２及び螺旋状の凸構造３のいずれの内周の形状も、円形に限定されるものではなく、楕円形・方形・長方形のいずれであっても、又はそれ以外の形状であっても良い。
【実施例２】
【００２４】
図３は、花瓶１の内周面に環状の凹構造４を形成した場合の説明図である。
花瓶１の開口部及び底部以外の内周面に環状の凹構造４を形成することにより、花を活けた際に花の茎の下端を当該凹構造に乗せたり、若しくは当該凹構造に引っ掛けたりすることによって、花を丸く活けることを可能とする。
なお、花瓶１の内周を連続して環状の凹構造４を形成している場合に限定されるものではなく、途中で断続しているものであっても良い。
【００２５】
また図示しないが、凹構造は、花瓶１の開口部及び底部以外の内周面に螺旋状の凹構造が形成されている場合であっても良い。
花瓶１の開口部及び底部以外の内周面に螺旋状の凹構造を形成することにより、花を活けた際に花の茎の下端を当該凹構造に乗せたり、若しくは当該凹構造に引っ掛けたりすることによって、花を丸く活けることを可能とする。
なお、花瓶１の内周面に連続して周方向に下降している螺旋状の凹構造を形成している場合に限定されるものではなく、途中で断続しているものであっても良い。
【００２６】
環状の凹構造４及び螺旋状の凹構造は、いずれの場合も１条に限定されるものではなく、２条以上であっても良い。
そして、環状の凹構造４又は螺旋状の凹構造が２条以上形成されている場合は、いずれの場合も隣接する凹構造の最奥部の中心間の距離は５ｍｍ以上であることが望ましい。５ｍｍ未満の距離では、花の茎の大きさを考慮すると当該凹構造を利用して花の茎を乗せたり引っ掛けたりすることが難しくなり、また、仮に花の茎を乗せたり引っ掛けたりすることが出来たとしても花瓶１に対する角度に変化がないからである。
また、環状の凹構造４及び螺旋状の凹構造のいずれの場合も、当該凹構造は前記花瓶１の内周面から外方向に向けて３ｍｍ以上窪んでいることが望ましい。これは、花の茎の大きさを考慮すると、３ｍｍ未満の窪みでは当該凹構造を利用して花の茎を乗せたり引っ掛けたりすることが難しくなるからである。
【００２７】
そして、環状の凹構造４及び螺旋状の凹構造のいずれの場合も、花瓶１の内周面と前記凹構造の上面とがなす角度が９０°未満であることが望ましい。これらのなす角度が９０°以上の場合は、当該凹構造の上面を利用して花の茎を引っ掛けたりすることが難しくなるからである。
さらに、環状の凹構造４及び螺旋状の凹構造のいずれの外周及び内周の形状も、円形に限定されるものではなく、花瓶１の内周面の形状に合ったものであれば、楕円形・方形・長方形のいずれであっても、又はそれ以外の形状であっても良い。
【実施例３】
【００２８】
図４は、花瓶１の開口部及び底部以外の内周面に小凸構造５と小凹構造６を混在させた場合の説明図である。
花瓶１の開口部及び底部以外の内周面に複数の小凸構造５又は小凹構造６を形成する。これによって、花を活けた際に花の茎の下端を小凸構造５又は小凹構造６の上に乗せたり、若しくは小凸構造５又は小凹構造６の下に引っ掛けたりすることによって、花を丸く活けることを可能とする。また、花の茎の下端を小凸構造５又は小凹構造６の上に乗せたり、若しくは下に引っ掛けたりする場合だけでなく、花の茎の下端と花瓶１の内周面に形成された小凸構造５又は小凹構造６との摩擦を利用して、花の茎の下端を花瓶１の内周面に固定することによって花を花瓶１に対して角度を付けて斜めに挿す場合であっても良い。
【００２９】
小凸構造５の形状は、花の茎の下端を上に乗せたり、若しくは下に引っ掛けたりする場合は、図４に示した通り、円筒を垂直方向に半分に割ったものを水平にして半円の頂点を上又は下としたような形状の構造の場合、若しくは厚みの小さな直方体の形状の構造の場合など、いずれの場合であっても良い。
また、小凹構造６の形状についても、花の茎の下端を上に乗せたり、若しくは下に引っ掛けたりする場合は、小凹構造６の開口部又は窪みの形状は、円形・楕円形・方形・長方形のいずれであっても、又はそれ以外の形状であっても良い。
図４において小凸構造５と小凹構造６は混在して示されているが、複数の小さな小凸構造５のみ、又は小凹構造６のみが形成されている場合であっても良い。
なお、小凸構造５又は小凹構造６いずれの場合も、各々の周方向の寸法は、３ｍｍ以上であって、かつ前記花瓶１の内周の４分の３以下の寸法を有することが望ましい。３ｍｍ未満の小凸構造５又は小凹構造６では花の茎の下端を支持して固定することが難しくなるからである。
【実施例４】
【００３０】
図５は、花瓶１の内周面に環状の花瓶用部材７を取り付けた場合の説明図である。花瓶１の開口部及び底部以外の内周面に環状の花瓶用部材７を設置する。これによって、花を活けた際に花の茎の下端を当該部材の上に乗せたり、若しくは当該部材の下に引っ掛けたりすることによって、花を丸く活けることを可能とする。
設置方法としては様々な方法が可能であり、例えば、花瓶１の底部が開口部より小さい場合は、花瓶１の内周は開口部から底部に下降するに従って小さくなっていることから、取り付けたい位置の花瓶１の内周よりわずかに大きな外周を有する花瓶用部材７を選択して、当該位置に置くことによって設置することが可能である。この場合の花瓶用部材７の材料の比重は、少なくとも水の比重より大きいものであるものとする。
なお、図５において、花瓶用部材７は２つ示されているが、１つ若しくは３つ以上であっても良い。
【００３１】
また、花瓶用部材７の形状は、環状の場合に限られるものではなく、螺旋状の場合であっても良い。この場合、花瓶１の開口部及び底部以外の内周面に螺旋状の花瓶用部材７を設置することにより、花を活けた際に花の茎の下端を花瓶用部材７の上に乗せたり、若しくは花瓶用部材７の下に引っ掛けたりすることによって、花を丸く活けることを可能とする。
この場合の設置方法も様々な方法が可能であり、例えば、螺旋状の花瓶用部材７の場合は弾性的に変形することが可能であることから、広がり変形や捩れ変形を利用して螺旋状の花瓶用部材７の外周の形状を花瓶１の内周面の形状に合わせて設置することが可能である。
【００３２】
花瓶用部材７の外周の形状は、円形に限定されるものではなく、花瓶１の内周面の形状に合ったものであれば、楕円形・方形・長方形のいずれであっても、又はそれ以外の形状であっても良い。同様に、花瓶用部材７の内周の形状も、円形に限定されるものではなく、楕円形・方形・長方形のいずれであっても、又はそれ以外の形状であっても良い。
【実施例５】
【００３３】
本実施例は、外周の形状が可変の花瓶用部材、即ち略Ｌ字の形状などの花瓶用部材の部品８を複数組み合わせて、その外周の形状を調節することが出来る花瓶１の開口部及び底部以外の内周面に設置される花瓶用部材７の例である。
図６は、隣接する略Ｌ字形状の花瓶用部材の部品８の係止位置を変動することによって大きさを調節することが出来る花瓶用部材７であって、花瓶用部材の部品８の係止位置が花瓶用部材７の外周付近である場合の説明図である。
花瓶用部材７を、図６に示されているように、略Ｌ字形状の花瓶用部材の部品８を４つ組み合わせることによって構成し、隣接する略Ｌ字形状の花瓶用部材の部品８を２つずつネジなどの適宜の止め具９で係止する。その係止位置を調節することによって花瓶用部材７の外周の形状を花瓶１の内周面に合わせて調節出来、花瓶用部材７を花瓶１の開口部及び底部以外の内周面の任意の位置に固定する。
【００３４】
図７は、隣接する略Ｌ字形状の花瓶用部材の部品８の係止位置を変動することによって大きさを調節することが出来る花瓶用部材７であって、花瓶用部材の部品８の係止位置が花瓶用部材７の略中心である場合の説明図である。
花瓶用部材７を、図７に示されているように、略Ｌ字形状の花瓶用部材の部品８を４つ組み合わせることによって構成し、組み合わせた後の花瓶用部材７の略中心位置をネジなどの適宜の止め具９で係止する。その係止位置を調節することによって、花瓶用部材７の外周を花瓶１の内周面に合わせて調節出来、花瓶用部材７を花瓶１の開口部及び底部以外の内周面の任意の位置に固定する。
【００３５】
なお、図６及び図７のいずれの場合であっても、花瓶用部材の部品８は略Ｌ字の形状に限られるものではなく、略円弧の形状、長方形の形状、楕円の形状、又はそれ以外の形状であっても良い。また、花瓶用部材の部品８を組み合わせた後の花瓶用部材７には、花の茎を花瓶の底に着かせるために、花の茎が通すための孔が所々に形成されていても良い。
花瓶用部材７を構成する花瓶用部材の部品８の数は、図に示されているような４つに限られるものではなく、花瓶１の内周面の任意の位置に固定することが出来るものであれば、３つ以下若しくは５つ以上であっても良い。
【図面の簡単な説明】
【００３６】
【図１】環状の凸構造２を形成した場合の説明図である。（実施例１）
【図２】螺旋状の凸構造３を形成した場合の説明図である。（実施例１）
【図３】環状の凹構造４を形成した場合の説明図である。（実施例２）
【図４】小凸構造５と小凹構造６を混在させた場合の説明図である。（実施例３）
【図５】環状の花瓶用部材７を取り付けた場合の説明図である。（実施例４）
【図６】花瓶用部材の部品８の係止位置が花瓶用部材７の外周付近である場合の説明図である。（実施例５）
【図７】花瓶用部材の部品８の係止位置が花瓶用部材７の略中心である場合の説明図である。（実施例５）
【符号の説明】
【００３７】
１  花瓶
２  環状の凸構造
３  螺旋状の凸構造
４  環状の凹構造
５  小凸構造
６  小凹構造
７  花瓶用部材
８  花瓶用部材の部品
９  止め具
【図１】
2009142344.tif 000003
【図２】
2009142344.tif 000004
【図３】
2009142344.tif 000005
【図４】
2009142344.tif 000006
【図５】
2009142344.tif 000007
【図６】
2009142344.tif 000008
【図７】
2009142344.tif 000009